(57)【要約】【課題】面状に光を出射し小型化が容易に図れる導光部材を提供する。【解決手段】略板状で横寸法方向の一端側が肉厚となる断面略楔状の導光板３２１の一面に、縦寸法方向に沿って溝部３２１ａを複数条設ける。溝部３２１ａを縦寸法方向に波形状で隣接する溝部３２１ａと位相がずれた状態に設ける。導光板３２１の他面の肉厚側に分光領域３２１ｃを設け、その他を拡散領域とする。分光領域３２１ｃに光の入射方向の横寸法方向に対して交差する導光突条を格子状に設ける。拡散領域に横寸法方向に沿って波形状に曲線溝３２１ｄ１を複数設ける。隣接する曲線溝３２１ｄ１は位相が互いにずれた状態に設ける。溝部３２１ａを設けた面に反射シートを設ける。肉厚側の端面から点光源で光を入射しても略全面から略均一な分布で出射できる。【選択図】  図４
2004185922.tif 000002
【特許請求の範囲】
【請求項１】
少なくとも１つの面に光が入射される入光面を有し、この入光面に対して交差する少なくとも１つの面に前記入光面に入射された光が出射される出光面を有した導光部材であって、
前記出光面に前記入光面から入射される前記光の入射方向に沿った方向で波形状の曲線溝が複数設けられ、
前記入光面から入射された光を前記出光面へ反射させる面に前記光の入射方向に対して交差する方向に沿った溝および突条のうちの少なくともいずれか一方が複数設けられた
ことを特徴とした導光部材。
【請求項２】
少なくとも１つの面に光が入射される入光面を有し、この入光面に対して交差する少なくとも１つの面に前記入光面に入射された光が出射される出光面を有した導光部材であって、
前記出光面に前記入光面から入射される前記光の入射方向に対して交差する方向に沿った溝および突条のうちの少なくともいずれか一方が複数設けられ、
前記入光面から入射された光を前記出光面へ反射させる面に前記光の入射方向に沿った方向で波形状の曲線溝が複数設けられた
ことを特徴とした導光部材。
【請求項３】
請求項１または請求項２に記載の導光部材において、
前記曲線溝は、長手方向における波形の位相が変化されて形成された
ことを特徴とした導光部材。
【請求項４】
請求項１ないし請求項３のいずれかに記載の導光部材において、
前記複数の曲線溝は、隣接する曲線溝と異なる位相の波形に形成された
ことを特徴とした導光部材。
【請求項５】
請求項１ないし請求項４のいずれかに記載の導光部材において、
前記複数の曲線溝は、隣接する曲線溝の位相とずれた位相で形成された
ことを特徴とした導光部材。
【請求項６】
請求項１ないし請求項５のいずれかに記載の導光部材において、
前記入光面に入射される光は、点光源からの光である
ことを特徴とした導光部材。
【請求項７】
請求項６に記載の導光部材において、
前記入光面に連続する端面を有し前記出光面およびこの出光面へ前記光を反射させる面のうちの少なくともいずれか一方に亘って前記光の入射方向に対して交差する方向に沿った導光突条が複数設けられた
ことを特徴とした導光部材。
【請求項８】
請求項６に記載の導光部材において、
前記出光面は、前記入光面に隣接して設けられ、
前記出光面には、前記入光面との境界縁から所定領域に前記光の入射方向に対して交差する方向に沿った導光突条が複数設けられた
ことを特徴とした導光部材。
【請求項９】
請求項７または請求項８に記載の導光部材において、
前記導光突条は、点光源に対応する位置から放射状に設けられた
ことを特徴とした導光部材。
【請求項１０】
請求項７または請求項８に記載の導光部材において、
前記導光突条は、格子状に設けられた
ことを特徴とした導光部材。
【請求項１１】
請求項１ないし請求項１０のいずれかに記載の導光部材において、
前記出光面に対向して設けられこの出光面から出射される光を屈折させ所定の範囲内で出射させる集光シートを備えた
ことを特徴とした導光部材。
【請求項１２】
請求項１ないし請求項１１のいずれかに記載の導光部材において、
前記入光面から入射された光を前記出光面へ反射させる面に対向して設けられこの面から出射される光を反射する反射部材を備えた
ことを特徴とした導光部材。
【請求項１３】
請求項１ないし請求項１２のいずれかに記載の導光部材と、
この導光部材の入光面に光を照射する光源と、
を具備したことを特徴とした照明装置。
【請求項１４】
請求項１３に記載の照明装置において、
前記光源は、点光源である
ことを特徴とした照明装置。
【請求項１５】
請求項１３または請求項１４に記載の照明装置において、
前記光源が配設され、この光源に前記入光面が対向する状態に前記導光部材を位置決め保持する位置決め手段を有した基板を具備した
ことを特徴とした照明装置。
【請求項１６】
請求項１３ないし請求項１５のいずれかに記載の照明装置と、
この照明装置の導光部材から出射される光が照射される液晶パネルと、
を具備したことを特徴とした表示装置。
【請求項１７】
請求項１ないし請求項１２のいずれかに記載の導光部材と、
この導光部材から出射される光が照射される液晶パネルと、
を具備したことを特徴とした表示装置。
【発明の詳細な説明】
【０００１】
【発明の属する技術分野】
本発明は、入光面から入射される光を出光面から出射させる導光部材、照明装置、および、表示装置に関する。
【０００２】
【従来技術】
従来、例えば液晶パネルの背面から面状に光を照射して液晶パネルを透光する光により画面表示させるいわゆるバックライト機構の液晶表示装置が広く利用されている。そして、この液晶表示装置の良好な画面表示を得るために、高輝度が得られる各種構成のバックライト機構が知られている（例えば特許文献１，２）。
【０００３】
そして、特許文献１に記載のものは、略板状に形成された導光板を有している。この導光板は、一側面に線状光源や点光源などからの光が入射される入光面を有している。また、導光板の両平面の少なくともいずれ一方の面には、入光面に沿う方向に沿った凹溝が所定周期で複数設けられている。さらに、導光板の下面となる一平面には、光を反射する反射シートが設けられている。また、導光板の上面となる他平面は、入光面から入射された光を出射する出光面となっている。さらに、導光板の出光面には、例えば図１に示すような輝部１と暗部２との縞模様となる導光板３から出射される光を、効率よく液晶パネルに照射させる光路制御板が設けられている。
【０００４】
しかしながら、この特許文献１に記載のものでは、図１に示すような縞模様に光が出射される導光板３に光路制御板を設けるので、導光板３および光路制御板自体内での反射の他、導光板３および光路制御板間での反射などにより、光の損失が生じて最終的に液晶パネルに照射する光量が減少するおそれがある。
【０００５】
一方、特許文献２に記載のものは、線状光源からの光が入射される入光面を一側面に有した略板状の導光板において、反射板が設けられる一面には入光面に対して略垂直方向に沿った断面Ｖ字状溝が複数状設けられ、これら断面Ｖ字状溝間にドット状に円錐状凹部が断面Ｖ字状溝に沿って複数配設されている。また、導光板の光拡散シートが設けられる出光面には、ドット、ストライプ、梨地状などの光拡散パターンが設けられている。
【０００６】
しかしながら、この特許文献２に記載のものは、導光板から略均一な分布で光が出射されるものの、線状光源を利用するので、例えば小型化が望まれている携帯電話などの液晶表示装置においては、小型化が図りにくくなる。また、点光源を用いた場合、例えば図１に示すように縞模様となるおそれがあり、点光源を利用する場合には特許文献１に記載の光路制御板や光拡散シートなど別部材を設ける必要があり、光の損失が生じるおそれがある。
【０００７】
【特許文献１】
特開平１１−５２３７７号公報（第３頁左欄−第８頁右欄）
【特許文献２】
特開平１１−１０９１３６号公報（第３頁左欄−第４頁右欄）
【０００８】
【発明が解決しようとする課題】
上述したように、上記従来のバックライト機構では、例えば点光源を利用した場合に、導光板から図１に示すような縞模様に光が出射される状態となり、光拡散シートなどの他の部材が必要となり、良好に液晶パネルに光を出射するための構成部材が多くなり、製造の効率化や小型化が図れなくなるおそれがある問題が一例として挙げられる。
【０００９】
本発明は、このような点に鑑みて、面状に光を出射し小型化が容易に図れる導光部材、照明装置、および、表示装置を提供することを目的とする。
【００１０】
【課題を解決するための手段】
請求項１に記載の発明は、少なくとも１つの面に光が入射される入光面を有し、この入光面に対して交差する少なくとも１つの面に前記入光面に入射された光が出射される出光面を有した導光部材であって、前記出光面に前記入光面から入射される前記光の入射方向に沿った方向で波形状の曲線溝が複数設けられ、前記入光面から入射された光を前記出光面へ反射させる面に前記光の入射方向に対して交差する方向に沿った溝および突条のうちの少なくともいずれか一方が複数設けられたことを特徴とした導光部材である。
【００１１】
請求項２に記載の発明は、少なくとも１つの面に光が入射される入光面を有し、この入光面に対して交差する少なくとも１つの面に前記入光面に入射された光が出射される出光面を有した導光部材であって、前記出光面に前記入光面から入射される前記光の入射方向に対して交差する方向に沿った溝および突条のうちの少なくともいずれか一方が複数設けられ、前記入光面から入射された光を前記出光面へ反射させる面に前記光の入射方向に沿った方向で波形状の曲線溝が複数設けられたことを特徴とした導光部材である。
【００１２】
請求項１３に記載の発明は、請求項１ないし請求項１２のいずれかに記載の導光部材と、この導光部材の入光面に光を照射する光源と、を具備したことを特徴とした照明装置である。
【００１３】
請求項１６に記載の発明は、請求項１３ないし請求項１５のいずれかに記載の照明装置と、この照明装置の導光部材から出射される光が照射される液晶パネルと、を具備したことを特徴とした表示装置である。
【００１４】
請求項１７に記載の発明は、請求項１ないし請求項１２のいずれかに記載の導光部材と、この導光部材から出射される光が照射される液晶パネルと、を具備したことを特徴とした表示装置である。
【００１５】
【発明の実施の形態】
以下に、本発明の表示装置に係る一実施の形態の構成について図面に基づいて説明する。なお、本実施の形態において、表示装置を備えた携帯電話を用いて説明するが、携帯電話に設けられる表示装置に限らない。
【００１６】
〔携帯電話の構成〕
図２は、本発明の表示装置を備えた携帯電話を示す斜視図である。図２において、１０は携帯電話で、この携帯電話１０は、本体部２０と、表示部３０と、を備えている。本体部２０には、携帯電話１０を動作させるための各種機能が搭載された図示しない制御装置が内蔵されている他、通話のために電話番号を入力したり、メールのためのテキストデータを入力したり、通過回線の接続や遮断など、携帯電話１０の動作を設定するための各種ボタン４０を有した図示しない操作手段が設けられている。また、表示部３０には、この表示部３０に透光性部材５０にて閉塞された窓部６０に臨んで表示装置１００が配設されている。この表示装置１００は、本体部２の制御装置にて動作処理され、制御装置から出力される画像データを画面表示する。
【００１７】
〔表示装置の構成〕
次に、本発明の表示装置の構成について図面を参照して説明する。図３は、表示装置の概略構成を示す側面断面図である。図４は、導光板を示す一部を切り欠いた側面断面図である。図５は、照明装置における導光板および光源を示す一部を切り欠いた平面図である。図６は、導光板の分光領域を示す一部を切り介した斜視図である。図７は、導光板の光の導光状態を示す概念図である。
【００１８】
表示装置１００は、図３に示すように、液晶パネル２００と、照明装置３００と、を備えている。又、照明装置３００は、図示しない基板と、光源３１０と、導光部材３２０と、を備えている。
【００１９】
そして、液晶パネル２００は、例えば図示しない、一対の透光性のガラス基板と、これらガラス基板間に液密に封入された液晶材料と、カラーフィルタと、を有している。そして、一方のガラス基板の液晶部材が封入される面側には、図示しないスイッチング素子が複数設けられている。そして、液晶パネル２００は、本体部２の制御装置から出力される画像データに基づいて各スイッチング素子が適宜開閉成し、照明装置３００からの光３１１を液晶部材が封入された層およびカラーフィルタを適宜透光させ、画面表示させる。
【００２０】
照明装置３００の光源３１０は、点光源で、例えば発光ダイオードなどが用いられる。そして、光源３１０は、図示しない基板上に所定間隔、例えば８．５ｍｍ間隔で複数、例えば４つ配設されている。この基板は、例えばプリント配線基板が用いられ、光源３１０を適宜発光させる図示しない点灯回路が搭載されている。また、基板の光源３１０が配設された面には、導光部材３２０を位置決め保持するための図示しない位置決め手段が設けられている。
【００２１】
一方、導光部材３２０は、導光板３２１を有している。この導光板３２１は、例えばポリメチルメタクリレート（ＰＭＭＡ）やその共重合体、あるいはポリカーボネートなどの透光性樹脂にて略長方形の平板状、例えば縦寸法が約３９ｍｍ、横寸法が約５３．８ｍｍ、厚さ寸法が約０．７ｍｍに形成されている。なお、導光板３２１は、長手方向の一端面側の厚さ寸法が、反対側の他端面側の厚さ寸法より厚い略楔状に形成されている。
【００２２】
そして、導光板３２１の一平面には、図３および図４に示すように、縦寸法方向に沿った方向で波形状の断面略Ｖ字状の溝である溝部３２１ａが、横寸法方向で並列に複数条設けられている。これら溝部３２１ａは、頂角における垂直方向に対する角度θが例えば約４３°から約６７°の範囲で形成されている。また、溝部３２１ａは、縦寸法方向に沿った方向において、波形の位相が変わる波形状に設けられている。さらに、溝部３２１ａは、隣接する溝部３２１ａとは異なる位相、すなわち隣に位置する溝部３２１ａの位相と異なる位相の波形状に設けられている。そして、複数の溝部３２１ａは、導光板３２１の厚さ寸法が厚い側（図３および図４の左側）から薄い側（図３および図４の右側）となるに従って、深さ寸法が深くなるとともに幅寸法が狭くなる状態に設けられている。
【００２３】
これら溝部３２１ａにより、断面鋸刃状に断面略Ｖ字状あるいは断面略台形状の突条３２１ｂが複数構成される。なお、この突条３２１ｂは、例えば隣接する溝部３２１ａが一部重なる状態に位置する場合、高さ寸法が他の突条３２１ｂより低い、すなわち、溝部３２１ａの深さ寸法が見掛け上で部分的に浅くなる位置がある。
【００２４】
なお、溝部３２１ａは、頂部の角度θは、後述する集光シート３２３や拡散シート３２４の有無などにより、適宜設定される。また、溝部３２１ａは、断面Ｖ字状に限らず、断面が四角形や五角形などの多角形、星形など、いずれの形状でもできる。さらに、溝部３２１ａを鋸歯のように連続して設ける場合に限らず、所定の間隔で設けてもよい。また、溝部３２１ａは、波形状に限らず、縦寸法方向に沿った直線上に設けたり、折れ線グラフ状に設けてもよい。
【００２５】
また、導光板３２１の溝部３２１ａが設けられた一平面と反対側の他平面には、図５に示すように、分光領域３２１ｃと、拡散領域３２１ｄと、が設けられている。
【００２６】
分光領域３２１ｃは、導光板３２１の厚さ寸法が厚い側の周縁から所定の幅寸法、例えば約５ｍｍの幅で設けられている。そして、この分光領域３２１ｃは、図６に示すように、断面略三角形状の導光突条３２１ｃ１が横寸法方向に対して交差する方向に突条で一端面が導光板３２１の肉厚側の端面に連続する状態で、平面視で略格子状に複数設けられている。この導光突条３２１ｃ１は、例えば高さ寸法が約２μｍ以上２０μｍ以下で形成されている。さらに、導光突条３２１ｃ１は、長手方向である頂部３２１ｃ１１の方向が光源３１０の入射方向である導光板３２１の横寸法方向に対して、例えば約±１５°以上約±５５°以下の範囲で斜めに傾斜する状態に格子状に設けられている。また、導光突条３２１ｃ１は、ピッチである隣接する導光突条３２１ｃ１の頂部３２１ｃ１１間の距離が例えば約２０μｍ以上２００μｍ以下となるように格子状に形成されている。そして、格子状の状態は、導光突条３２１ｃ１の頂部３２１ｃ１１が分光領域３２１ｃの周縁で交差する状態に設けられている。これら条件のうちの少なくともいずれか１つを設定することにより、光源３１０からの光３１１を良好に拡散領域３２１ｄに広げて入射させることができる。
【００２７】
なお、導光突条３２１ｃ１は、断面略三角形状に限らず、例えば断面略半円などの円弧状、断面四角形状や断面五角形状などの断面多角形状、断面星形状など、光３１１が導光するいずれの形状の突条でもできる。また、各条件の全てについて設定する必要はなく、いずれか１つの条件でも拡散領域３２１ｄに光３１１を広げて入射させることができる。
【００２８】
拡散領域３２１ｄは、分光領域３２１ｃに隣接して導光板３２１の厚さ寸法が薄い側の縁に亘る領域に設けられている。この拡散領域３２１ｄには、図５に示すように、光源３１０から導光板３２１に入射される光３１１の入射方向に沿った方向、すなわち導光板３２１の横寸法方向に沿った方向に波形状の曲線溝３２１ｄ１が複数設けられている。この曲線溝３２１ｄ１は、例えば断面略Ｖ字状に形成され、頂角は例えば約９０°以上約１７０°以下に形成されている。また、隣接する曲線溝３２１ｄ１間のピッチは、例えば約１５μｍ以上約５００μｍ以下に設けられている。さらに、曲線溝３２１ｄ１は、例えば１ｍｍ以上約１５ｍｍ以下で１周期となる状態に波形状に形成されている。そして、これら曲線溝３２１ｄ１は、１つの曲線溝３２１ｄ１において、長手方向である横寸法方向に沿った方向において波形の位相が変わる波形状に設けられている。さらに、曲線溝３２１ｄ１は、隣接する曲線溝３２１ｄ１とは異なる位相、すなわち隣に位置する曲線溝３２１ｄ１の位相と異なる状態の波形状に設けられている。これら条件のうちの少なくともいずれか１つに設定することで、導光板３２１内での良好な拡散反射状態が得られる。
【００２９】
さらに、導光板３２１の厚さ寸法が薄い側の端面には、この端面から光３１１が漏れるのを防止するために、厚さ方向に沿った方向に図示しない凹溝部が複数設けられている。これら凹溝部は、例えば断面が略Ｖ字状で、導光板３２１の縦寸法方向に並列に連続して断面略鋸歯状に形成されている。この凹溝部は、例えば頂角が約８０°以上約１２０°以下に形成されている。なお、この凹溝部は、曲線溝３２１ｄ１のように、導光板３２１の厚さ方向で屈曲する状態に設けてもよい。また、頂部の角度は、適宜設定される。
【００３０】
そして、導光板３２１の溝部３２１ａが設けられた面には、図３に示すように、反射部材としての反射シート３２２が設けられている。この反射シート３２２は、例えば金属箔などの反射特性の高いシート部材が接着などにて導光板３２１に設けられている。この反射シート３２２が設けられた導光板３２１の面が反射面３２１ｅとなる。なお、反射部材としては、シート部材の接着による構成のほか、反射特性の高い材料のメッキや反射特性の高い塗料の塗布、蒸着など、いずれの構成により設けた構成でもできる。
【００３１】
さらに、導光板３２１の分光領域３２１ｃおよび拡散領域３２１ｄが設けられた面には、図３に示すように、集光シート３２３が設けられている。この集光シート３２３は、少なくとも一面側に溝部３２１ａのような図示しない溝が複数条設けられたいわゆるプリズムシートが用いられ、少なくとも拡散領域３２１ｄから出射される光３１１を所定の領域に分布する状態に屈折させて集光させる。
【００３２】
そしてさらに、導光板３２１には、集光シート３２３に積層する状態に拡散シート３２４が設けられている。この拡散シート３２４は、集光シート３２３を通過した光３１１が所定の領域で拡散する状態に屈折させる。
【００３３】
そして、反射シート３２２、および集光シート３２３および拡散シート３２４が設けられた導光部材３２０は、反射シート３２２が設けられた導光板３２１の反射面３２１ｅを基板に対向する状態で、かつ、導光板３２１の分光領域３２１ｃが設けられた側である肉厚側の端面が光源３１０に対向する状態で、位置決め手段にて基板上に位置決め保持される。この状態で、光源３１０に対向する端面が入光面３２１ｆとなり、集光シート３２３および拡散シート３２４が設けられた面が出光面３２１ｇとなる。
【００３４】
すなわち、光源３１０から出射された光３１１は、入光面３２１ｆに導光板３２１の横寸法方向に沿った方向に入射し、一部が分光領域３２１ｃの導光突条３２１ｃ１内を反射しつつ導光し、図７に示すように広がる状態に拡散領域３２１ｄに至る。そして、拡散領域３２１ｄに至った光３１１は、拡散領域３２１ｄの曲線溝３２１ｄ１を構成する面にて入射方向である横寸法方向と交差する方向に拡散するように反射されて、さらに反射面３２１ｅの溝部３２１ａを構成する面で適宜反射され、図７に示すように、出光面３２１ｇの略全体からほぼ均一に出射される。
【００３５】
そして、導光部材３２０を基板上に位置決め保持した照明装置３００は、図３に示すように、導光板３２１の出光面３２１ｇに液晶パネル２００が対向する状態で液晶パネル２００と一体的に組み付けられ、表示装置１００が組立形成される。なお、表示装置１００は、照明装置３００と液晶パネルとの対向状態が、導光板３２１の拡散領域３２１ｄに液晶パネル２００が対向する有効領域となるように組立形成される。そして、この表示装置１００は、液晶パネル２００が携帯電話１０の表示部３０の窓部６０に臨む状態に、表示部３０に組み付けられる。
【００３６】
〔表示装置の動作〕
次に、表示装置の動作を図面を参照して説明する。
【００３７】
まず、電力が供給されて携帯電話１０が起動することにより、本体部２０の図示しない制御装置が所定の画像データを表示装置１００に出力する。表示装置１００は、適宜光源３１０を発光させ、導光板３２１の出光面３２１ｇの略全面から略均一に出射させる。そして、出射される光３１１が画像データを取得して適宜画面表示する液晶パネル２００を透光し、液晶パネル２００にて表示する画面表示を鮮明に表現する。
【００３８】
上述したように、上記実施の形態では、出光面３２１ｇに入光面３２１ｆから入射される光３１１の入射方向に沿った方向で波形状の曲線溝３２１ｄ１を複数設け、入光面３２１ｆから入射された光３１１を出光面３２１ｇへ反射させる反射面３２１ｅに光３１１の入射方向に対して交差する方向に沿った溝部３２１ａおよび突条３２１ｂのうちの少なくともいずれか一方を複数設ける。このことにより、入光面３２１ｆから入射された光３１１は、曲線溝３２１ｄ１により入射方向と交差する方向に反射され、溝および突条のうちの少なくともいずれか一方を構成する面で適宜反射され、出光面３２１ｇから略均一な分布の状態で出射される。
【００３９】
このため、点光源となる光源３１０からの光３１１でも、図１に示すような縞模様となることはなく、集光シート３２３や拡散シート３２４などの特別な構成を設けなくても、溝を設ける簡単な構成で、図７に示すように出光面３２１ｇから略均一に分布する状態で容易に光３１１を出射できる。
【００４０】
また、曲線溝３２１ｄ１を長手方向における波形の位相が変化する状態に形成する。このため、各曲線溝３２１ｄ１で光３１１の入射方向に対して交差する方向への反射状態がそれぞれ異なる方向となり、導光板３２１内の拡散反射状態が良好となり、出光面３２１ｇからの光３１１の出射状態をより均一化できる。
【００４１】
さらに、隣接する曲線溝３２１ｄ１が異なる位相の波形となる状態に形成する。このため、導光板３２１内における良好な拡散反射状態が得られ、出光面３２１ｇからの光３１１の出射状態をより均一化できる。
【００４２】
また、隣接する曲線溝３２１ｄ１を位相がずれた状態に形成する。このため、導光板３２１内における良好な拡散反射状態が得られると共に、集光シート３２３や液晶パネル２００とのモアレを解消し、出光面３２１ｇからの光３１１の出射状態をより均一化できる。
【００４３】
そして、溝部３２１ａを曲線溝３２１ｄ１と同様の波形状に形成する。このため、導光板３２１内におけるより良好な拡散反射状態が得られ、出光面３２１ｇからの光３１１の出射状態をより均一化できる。
【００４４】
また、光源３１０側に分光領域３２１ｃを設けたため、点光源となる光源３１０からの光３１１が拡散領域３２１ｄに至るまでに広げられるので、拡散領域３２１ｄでの入射方向と交差する方向への反射性が向上し、より出光面３２１ｇから略均一な出射が得られる。
【００４５】
そして、分光領域３２１ｃとして、導光突条３２１ｃを格子状に設けるため、複数の点光源からの光３１１でも効率よく広げて拡散領域３２１ｄに導光させる構成が容易に得られ、製造性の向上が容易に図れる。
【００４６】
さらに、分光領域３２１ｃを設けたため、導光板３２１の入光面３２１ｆとなる肉厚側が簡単に認識でき、組立製造性を向上できる。そしてさらに、分光領域３２１ｃにより、拡散領域３２１ｄがいずれの面に設けられているかが容易に認識でき、組立製造性を向上できる。
【００４７】
また、光源３１０として発光ダイオードなどを用いて光３１１を直接入射させる点光源としたため、点光源でも図１に示すような縞模様とならずに出光面３２１ｇから光３１１を略均一に出射できるので、特に小型化が望まれる携帯電話１０など、携帯型の表示装置１００としても利用することが容易にできる。
【００４８】
そして、導光板３２１の出光面３２１ｇに集光シート３２３を設けたため、所定の範囲で略均一に光３１１が分布する状態に出射でき、液晶パネル２００の画面表示がより明るく良好に認識することができる。
【００４９】
また、この導光部材３２０を液晶パネル２００のバックライトとして機能する照明装置３００としたため、液晶パネル２００の明るい良好な画面表示が小型で得られる。
【００５０】
〔実施形態の変形〕
なお、本発明は、上述した各実施の形態に限定されるものではなく、本発明の目的を達成できる範囲で以下に示される変形をも含むものである。
【００５１】
すなわち、導光板３２１の溝部３２１ａを設けた側を反射面３２１ｅとし、拡散領域３２１ｄを設けた側を出光面３２１ｇとして説明したが、逆の構成、すなわち拡散領域３２１ｄを設けた側に反射シート３２２を設けて反射面３２１ｅとし、溝部３２１ａを設けた側に集光シート３２３および拡散シート３２４を設けて出光面３２１ｇとしてもよい。
【００５２】
そして、導光部材３２０としては、集光シート３２３および拡散シート３２４を設けて説明したが、積層状態が逆となるように設けたり、いずれか一方のみ、あるいは、双方とも設けなくてもよい。
【００５３】
また、分光領域３２１ｃを設けたが、分光領域３２１ｃを設けずに拡散領域３２１ｄのみを設けてもよい。なお、分光領域３２１ｃは、上述した構成に限らない。例えば導光突条３２１ｃ１を光源３１０を中心とした放射状に設けて格子状にしてもよい。
【００５４】
そして、拡散領域３２１ｄにおいて、曲線溝３２１ｄ１は、長手方向における波形の位相が変化しない１つの位相で設けてもよい。また、隣接する曲線溝３２１ｄ１で異なる位相としなくてもよい。なお、隣接する曲線溝３２１ｄ１の位相は、ずれていることが好ましい。
【００５５】
また、照明装置３００として、光源３１０として発光ダイオードなどを用いて直接入光面３２１ｆから入射させる点光源としたが、線光源としてもよい。また、光源３１０は、複数、例えば４つに限らず、１つでもできる。この場合には、特に分光領域３２１ｃの導光突条３２１ｃ１を放射状に設けることが好ましい。
【００５６】
さらに、入光面３２１ｆは、１面に限らない。すなわち凹溝部を設けた端面などの周面からも光３１１を入射させる構成としてもよい。
【００５７】
また、出光面３２１ｇも、１面に限られない。すなわち、溝部３２１ａが設けられた面の一部のみに反射シート３２２を設けて反射面３２１ｅとし、拡散領域３２１ｄ側に溝部３２１ａが設けられた面に設けた反射シート３２２に対向しない位置に反射シート３２２を設けて反射面３２１ｅとしてもよい。このように構成することにより、反射面３２１ｅと反対側の面の領域に液晶パネル２００をそれぞれ配置することで、両面それぞれに出光面３２１ｇが形成されて液晶パネル２００のバックライトとして機能させることができ、１つの導光部材３２０で反対方向に設けた液晶パネルにそれぞれ光３１１を供給できる。さらには、導光板３２１の両面に、それぞれ例えば拡散シート３２４、集光シート３２３および反射型偏光性フィルムの順で積層する状態に設けるなどしてもよい。このような構成により、導光板３２１の両面が出光面３２１ｇおよび反射面３２１ｅとして機能し、上述したように両面で液晶パネル２００のバックライトとして機能させることができ、１つの導光部材３２０で反対方向に設けた液晶パネルにそれぞれ光３１１を供給できる。特に、反射型偏光性フィルムを用いる構成では、両面の略全面を出光面３２１ｇとすることができる。なお、上記実施の形態における導光板３２１に対して、液晶パネル２００を１つのみ組み合わせる構成に限らず、出光面３２１ｇに対して複数の液晶パネル２００を対向させてもよい。
【００５８】
そして、導光部材３２０として、板状の導光板３２１を用いた略板状の構成について説明したが、板状に限らず、４面体、５面体、矩形状である６面体など、いずれの多面体、さらには入光面３２１ｆや出光面３２１ｇなどが湾曲する曲面状などのものでもできる。
【００５９】
その他、本発明の実施の際の具体的な構造および手順は、本発明の目的を達成できる範囲で他の構造などに適宜変更できる。
【００６０】
〔実施の形態の効果〕
上述したように、少なくとも１つの面に光３１１が入射される入光面３２１ｆを有し、この入光面３２１ｆに対して交差する少なくとも１つの面に入光面３２１ｆに入射された光３１１が出射される出光面３２１ｇを有した導光部材３２０であって、出光面３２１ｇに入光面３２１ｆから入射される光３１１の入射方向に沿った方向で波形状の曲線溝３２１ｄ１を複数設け、入光面３２１ｆから入射された光３１１を出光面３２１ｇへ反射させる反射面３２１ｅに光３１１の入射方向に対して交差する方向に沿った溝部３２１ａおよび突条３２１ｂのうちの少なくともいずれか一方を複数設ける。
【００６１】
そして、入光面３２１ｆから入射された光３１１は、曲線溝３２１ｄ１により入射方向と交差する方向に反射され、溝および突条のうちの少なくともいずれか一方を構成する面で適宜反射され、出光面３２１ｇから略均一な分布の状態で出射される。このため、点光源となる光源３１０からの光３１１でも、図１に示すような縞模様となることはなく、集光シート３２３や拡散シート３２４などの特別な構成を設けなくても、溝を設ける簡単な構成で、図７に示すように出光面３２１ｇから略均一に分布する状態で容易に光３１１を出射できる。
【００６２】
また、少なくとも１つの面に光３１１が入射される入光面３２１ｆを有し、この入光面３２１ｆに対して交差する少なくとも１つの面に入光面３２１ｆに入射された光３１１が出射される出光面３２１ｇを有した導光部材３２０であって、出光面３２１ｇに入光面３２１ｆから入射される光３１１の入射方向に対して交差する方向に沿った溝部３２１ａおよび突条３２１ｂのうちの少なくともいずれか一方を複数設け、入光面３２１ｆから入射された光３１１を出光面３２１ｇへ反射させる反射面３２１ｅに光３１１の入射方向に沿った方向で波形状の曲線溝３２１ｄ１を複数設ける。
【００６３】
そして、入光面３２１ｆから入射された光３１１は、曲線溝３２１ｄ１により入射方向と交差する方向に反射され、溝および突条のうちの少なくともいずれか一方を構成する面で適宜反射されつつ、出光面３２１ｇから略均一な分布の状態で出射される。このため、点光源となる光源３１０からの光３１１でも、図１に示すような縞模様となることはなく、集光シート３２３や拡散シート３２４などの特別な構成を設けなくても、溝を設ける簡単な構成で、図７に示すように出光面３２１ｇから略均一に分布する状態で容易に光３１１を出射できる。
【図面の簡単な説明】
【図１】従来例の導光板の光の導光状態を示す模式図である。
【図２】本発明の一実施の形態に係る表示装置を備えた携帯電話の概略構成を示す斜視図である。
【図３】前記一実施の形態における表示装置の概略構成を示す側面断面図である。
【図４】前記一実施の形態における導光板を示す一部を切り欠いた側面断面図である。
【図５】前記一実施の形態における照明装置における導光板および光源を示す一部を切り欠いた平面図である。
【図６】前記一実施の形態における導光板の分光領域を示す一部を切り介した斜視図である。
【図７】前記一実施の形態における導光板の光の導光状態を示す概念図である。
【符号の説明】
２００      液晶パネル
３００      表示装置
３１０      光源
３１１      光
３２０      導光部材
３２１      導光部材としての導光板
３２１ａ    溝である溝部
３２１ｂ    突条
３２１ｃ１  導光突条
３２１ｄ１  曲線溝
３２１ｆ    入光面
３２１ｇ    出光面
３２２      反射部材としての反射シート
３２３      集光シート
【図１】
2004185922.tif 000003
【図２】
2004185922.tif 000004
【図３】
2004185922.tif 000005
【図４】
2004185922.tif 000006
【図５】
2004185922.tif 000007
【図６】
2004185922.tif 000008
【図７】
2004185922.tif 000009